(57)【要約】【課題】装置全体を大きくすることなく、コードの断線防止の低減を図り、使用性を向上させたコード巻き取り装置を提供することを目的とする。【解決手段】回転自在で電源コード４を巻き付けて収納するコードリール３と、前記コードリール３の回転中心に配される回転軸６と、前記電源コード４を巻き取る方向に付勢するゼンマイバネ２とを備え、前記ゼンマイバネ２の広がり時に前記ゼンマイバネ２の外周部と接触する接触部７を有するもので、ゼンマイバネが徐々に広がったとき、前記接触部７と接触してブレーキ作用がコードリール３に働き、コード４の巻き込み速度を途中で減速させることができる。【選択図】  図１
2005006814.tif 000002
【特許請求の範囲】
【請求項１】
回転自在で電源コードを巻き付けて収納するコードリールと、前記コードリールの回転中心に配される回転軸と、前記電源コードを巻き取る方向に付勢するゼンマイバネとを備え、前記ゼンマイバネの広がり時に前記ゼンマイバネの外周部と接触する接触部を有する電気掃除機のコード巻き取り装置。
【請求項２】
接触部を掃除機本体に形成した請求項１記載の電気掃除機のコード巻き取り装置。
【請求項３】
接触部を別部品で形成した請求項１記載の電気掃除機のコード巻き取り装置。
【請求項４】
接触部を、コードリールの回転軸方向に可動できるように構成した請求項３記載の電気掃除機のコード巻き取り装置。
【発明の詳細な説明】
【０００１】
【発明の属する技術分野】
本発明は、電気掃除機のコード巻き取り装置に関するものである。
【０００２】
【従来の技術】
従来から電気掃除機等に使用されているコード巻き取り装置としては、以下に示されているものが一般的であった。図５を用いて説明する。図において、１はコードリール収納室でこのコードリール収納室１の内部にはゼンマイバネ２によりコードリール３がコード巻き込み方向に付勢して設けられている。４はコードリール３に巻かれるコード、５はコードリール３に対するコード４の巻き込みをオンーオフ式に制御するブレーキ手段である（例えば、特許文献１参照）。
【０００３】
【特許文献１】
特開平２−１２６８２０号公報
【０００４】
【発明が解決しようとする課題】
しかし、上記の構成では、例えば電気掃除機の場合、コードの長さは通常５ｍ程度であるため、コード４の引き出し始めの引き出し力に比べて、ほぼ５ｍ引き出した状態での引き出し力はかなり大きなものになる。その結果、コード巻き込み時には、ゼンマイバネ２の付勢力によってコードが急激に巻き込まれることになり、コードが断線してしまう可能性を有していた。
【０００５】
尚、これらの問題を解決する為にゼンマイバネ２の長さを長くしてトルクの変化を小さくすることが考えられるが、長さの長いゼンマイバネ２を用いる為には、ゼンマイバネ２の収納スペースを大きくしなければならず、その結果コード巻き取り装置全体が大きくなるという問題があった。
【０００６】
本発明は、この様な問題を解決するもので、装置全体を大きくすることなく、コードの断線防止の低減を図り、使用性を向上させたコード巻き取り装置を提供することを目的とする。
【０００７】
【課題を解決するための手段】
上記目的を達成するために本発明は、回転自在で電源コードを巻き付けて収納するコードリールと、前記コードリールの回転中心に配される回転軸と、前記電源コードを巻き取る方向に付勢するゼンマイバネとを備え、前記ゼンマイバネの広がり時に前記ゼンマイバネの外周部と接触する接触部を有するもので、コードが長く引き出され、ゼンマイバネが小さく縮んだ状態から、コードが巻き込まれるにつれゼンマイバネは徐々に広がり、前記接触部と接触してブレーキ作用がコードリールに働き、コードの巻き込み速度を途中で減速させることができる。この作用によりコードの巻き込み時にプラグが跳ねて使用者に当たることもなく、使用性の向上とコードの断線防止が図れる。また、コードの巻き込み速度を途中で減速させるのに、コード巻き取り装置全体を大きくしないで済む。
【０００８】
【発明の実施の形態】
本発明の請求項１記載の発明は、回転自在で電源コードを巻き付けて収納するコードリールと、前記コードリールの回転中心に配される回転軸と、前記電源コードを巻き取る方向に付勢するゼンマイバネとを備え、前記ゼンマイバネの広がり時に前記ゼンマイバネの外周部と接触する接触部を有するもので、コードが長く引き出され、ゼンマイバネが小さく縮んだ状態から、コードが巻き込まれるにつれゼンマイバネは徐々に広がり、前記接触部と接触してブレーキ作用がコードリールに働き、コードの巻き込み速度を途中で減速させることができる。この作用によりコードの巻き込み時にプラグが跳ねて使用者に当たることもなく、使用性の向上とコードの断線防止が図れる。また、コードの巻き込み速度を途中で減速させるのに、コード巻き取り装置全体を大きくしないで済む。
【０００９】
本発明の請求項２記載の発明は、接触部を掃除機本体に形成したもので、コードが長く引き出され、ゼンマイバネが小さく縮んだ状態から、コードが巻き込まれるにつれゼンマイバネは徐々に広がり、掃除機本体に設けた接触部と接触してブレーキ作用がコードリールに働き、コードの巻き込み速度を途中で減速させることができる。この作用によりコードの巻き込み時にプラグが跳ねて使用者に当たることもなく、使用性の向上とコードの断線防止が図れる。また、コードの巻き込み速度を途中で減速させるのに、コード巻き取り装置全体を大きくしないで済む。
【００１０】
本発明の請求項３記載の発明は、接触部を別部品で形成したもので、コードが長く引き出され、ゼンマイバネが小さく縮んだ状態から、コードが巻き込まれるにつれゼンマイバネは徐々に広がり、別部品に形成した接触部と接触してブレーキ作用がコードリールに働き、コードの巻き込み速度を途中で減速させることができる。この作用によりコードの巻き込み時にプラグが跳ねて使用者に当たることもなく、使用性の向上とコードの断線防止が図れる。また、コードの巻き込み速度を途中で減速させるのに、コード巻き取り装置全体を大きくしないで済む。
【００１１】
本発明の請求項４記載の発明は、接触部を、コードリールの回転軸方向に可動できるように構成したもので、別部品に形成した接触部のゼンマイバネへの外周部への接触面積を可変できることで、ブレーキ力を調整することができ、コードの巻き込み速度を好みに設定できる。
【００１２】
【実施例】
（実施例１）
以下本発明の第１の実施例を図１、図２を用いて説明する。なお従来例と同一構成部品については同一符号を付して、その説明を省略する。
【００１３】
図１に示すように、回転自在で電源コード４を巻き付けて収納するコードリール３と、コードリール３の回転中心に配される回転軸６と、電源コード４を巻き取る方向に付勢するゼンマイバネ２をコードリール３内に備え、ゼンマイバネ２の広がり時にゼンマイバネ２の外周側面部と接触する接触部であるリブＡ７を掃除機本体８より形成した。
【００１４】
上記構成による作用は以下の通りである。
【００１５】
コード４が長く引き出され、ゼンマイバネ２が小さく縮んだ状態（図１の状態）から、コード４が巻き込まれるにつれゼンマイバネ２は徐々に広がり（図２の状態、掃除機本体８より形成したリブＡ７と接触してブレーキ作用がコードリール３に働き、コード４の巻き込み速度を途中で減速させることができる。この作用によりコード４の巻き込み時にプラグが跳ねて使用者に当たることもなく、使用性の向上とコード４の断線防止が図れる。また、コード４の巻き込み速度を途中で減速させるのに、コード巻き取り装置全体を大きくしないで済む。
【００１６】
（実施例２）
以下本発明の第２の実施例を図３を用いて説明する。なお上記実施例と同一構成部品については同一符号を付して、その説明を省略する。
【００１７】
ゼンマイバネ２の外周側面部と接触する接触部であるリブＢ９を別部品で形成し、掃除機本体８に設けたことで、コード４が長く引き出され、ゼンマイバネ２が小さく縮んだ状態から、コード４が巻き込まれるにつれゼンマイバネ２は徐々に広がり、掃除機本体８より形成したリブＢ９と接触してブレーキ作用がコードリール３に働き、コード４の巻き込み速度を途中で減速させることができる。この作用によりコード４の巻き込み時にプラグが跳ねて使用者に当たることもなく、使用性の向上とコード４の断線防止が図れる。また、コード４の巻き込み速度を途中で減速させるのに、コード巻き取り装置全体を大きくしないで済む。
【００１８】
（実施例３）
次に本発明の第３の実施例を図４を用いて説明する。なお上記実施例と同一構成部品については同一符号を付して、その説明を省略する。
【００１９】
ゼンマイバネ２の外周側面部と接触する接触部であるリブＣ８を別部品で形成し、コードリール３の回転軸方向に可動でき、掃除機本体８の任意の位置に固定できる構成にしたことにより、別部品に形成したリブＣ８のゼンマイバネ２の外周側面部への接触面積を可変することで、ブレーキ力を調整することができ、コードの巻き込み速度を好みに設定できる。
【００２０】
【発明の効果】
本発明によれば、装置全体を大きくすることなく、コードの断線防止の低減を図り、使用性を向上させたコード巻き取り装置を提供できる。
【図面の簡単な説明】
【図１】（ａ）本発明の第１の実施例を示す電気掃除機のコード巻き取り装置の断面図
（ｂ）図１（ａ）のＡ−Ａ断面図
【図２】（ａ）本発明の第２の実施例を示す電気掃除機のコード巻き取り装置の断面図
（ｂ）図２（ａ）のＢ−Ｂ断面図
【図３】（ａ）本発明の第３の実施例を示す電気掃除機のコード巻き取り装置の断面図
（ｂ）図３（ａ）のＣ−Ｃ断面図
【図４】（ａ）本発明の第４の実施例を示す電気掃除機のコード巻き取り装置の断面図
（ｂ）図４（ａ）のＤ−Ｄ断面図
【図５】従来の電気掃除機のコード巻き取り装置の断面図
【符号の説明】
２  ゼンマイバネ
３  コードリール
４  電源コード
７  リブＡ（接触部）
９  リブＢ（接触部）
１０  リブＣ（接触部）
【図１】
2005006814.tif 000003
【図２】
2005006814.tif 000004
【図３】
2005006814.tif 000005
【図４】
2005006814.tif 000006
【図５】
2005006814.tif 000007